(57)【要約】【課題】省エネルギー化を図ることができ、かつ短時間に販売個数が増大する事態にも対応することのできる自動販売機を提供すること。【解決手段】上下方向に沿う態様で商品収納庫４０の内部に商品を収納し、かつ商品収納庫４０に対してその下方部から熱交換手段６１，６２を通過した後の空気を供給することにより商品収納庫４０に収納した商品を所望の温度状態に維持する一方、販売指令が与えられた場合には商品収納庫４０の下方側に位置する商品から順次払い出しを行う自動販売機において、商品収納庫４０の背面に背面吸出口７２を設けるとともに、商品収納庫４０の側面において背面吸出口７２よりも下方となる位置に側面吸出口５１ａを設け、背面吸出口７２をフラッパ９０によって開閉することにより、商品収納庫４０の空気を吸い出す吸出口を選択するようにしている。【選択図】        図１
2007058312.tif 000002
【特許請求の範囲】
【請求項１】
上下方向に沿う態様で商品収納庫の内部に商品を収納し、かつ商品収納庫に対してその下方部から熱交換手段を通過した後の空気を供給することにより商品収納庫に収納した商品を所望の温度状態に維持する一方、販売指令が与えられた場合には商品収納庫の下方側に位置する商品から順次払い出しを行う自動販売機において、
商品収納庫の空気を吸い出す吸出口を互いに異なる高さ位置に複数設けるとともに、これら複数の吸出口から商品収納庫の空気を吸い出す吸出口を選択する選択手段を設けたことを特徴とする自動販売機。
【請求項２】
商品収納庫の商品収納領域に対してその背面側に位置する部位に背面吸出口を設けるとともに、商品収納庫の商品収納領域に対してその側面に位置し、かつ背面吸出口よりも下方となる位置に側面吸出口を設けたことを特徴とする請求項１に記載の自動販売機。
【請求項３】
選択手段は、背面吸出口を開閉するフラッパを備えたものであることを特徴とする請求項２に記載の自動販売機。
【請求項４】
背面吸出口から熱交換手段に至る背面ダクトを構成するとともに、側面吸出口から背面ダクトに至る部位に側面ダクトを構成したことを特徴とする請求項２に記載の自動販売機。
【請求項５】
閉塞状態において商品収納庫の内部を上下に分断する一方、開放した場合に商品収納庫の内部を連通させるシャッタ部材を設け、
商品収納庫においてシャッタ部材よりも上方側となる高さ位置及びシャッタ部材よりも下方側となる高さ位置にそれぞれ吸出口を設けたことを特徴とする請求項１に記載の自動販売機。
【請求項６】
商品収納庫においてシャッタ部材よりも上方側となる領域の下端部に、商品の通過を規制する商品通過規制手段を設けたことを特徴とする請求項５に記載の自動販売機。
【発明の詳細な説明】
【技術分野】
【０００１】
本発明は、上下方向に沿う態様で商品収納庫の内部に商品を収納し、かつ商品収納庫に対してその下方部から熱交換手段を通過した後の空気を供給することにより商品収納庫に収納した商品を所望の温度状態に維持する一方、販売指令が与えられた場合には商品収納庫の下方側に位置する商品から順次払い出しを行う自動販売機に関するものである。
【背景技術】
【０００２】
缶入り飲料やペットボトル入り飲料等の商品を販売する自動販売機では、本体キャビネットに商品を収納するための商品収納庫が構成されている。商品収納庫は、断熱材によって囲まれた空間であり、シュータによって仕切られた上方部に商品ラックを備えた商品室が構成されている一方、その下方部に熱交換室が構成されている。商品ラックは、商品室に上下方向に沿って商品を収納するもので、その中間部にシャッタを備えている。シャッタは、断熱部材によって構成した仕切部材であり、商品ラックを上下に仕切る態様で配設されている。熱交換室は、送風を行う送風ファンと熱交換手段を備えたものである。熱交換手段は、空気を冷却するための冷却手段や空気を加熱するための加熱手段である。
【０００３】
上記のように構成した自動販売機では、熱交換室に配設した送風ファンを駆動すると、熱交換室の空気がシュータの通気孔から商品室に循環供給されることになる。従って、熱交換室の冷却手段を駆動すれば、商品室の商品が冷却維持されることになり、また熱交換室の加熱手段を駆動すれば、商品室の商品が加熱維持されることになる。
【０００４】
この状態から利用者が硬貨を投入する等の販売操作を行うと、対応する商品を収納した商品ラックに販売指令が与えられ、最下位に収納された商品が冷却、あるいは加熱された状態で利用者に払い出されることになる（例えば、特許文献１参照）。
【０００５】
【特許文献１】特開平１０−９１８５５号公報
【発明の開示】
【発明が解決しようとする課題】
【０００６】
ところで、上述した自動販売機によれば、商品ラックの中間部にシャッタを配設しているため、商品室の下方部に収納した商品を集中的に冷却、あるいは加熱することができるようになり、消費電力を低減できる等、省エネルギーの点で有利となる。
【０００７】
しかしながら、商品ラックの中間部にシャッタを配設した自動販売機にあっては、冷却状態、もしくは加熱状態に維持される商品の数が減少せざるを得ない。従って、短時間のうちに商品が連続的して多数販売された場合には、シャッタよりも上方に位置していた商品が充分に冷却、もしくは加熱されないままで販売される事態が発生する虞れがある。このため、例えば季節によって販売個数の格差が大きいロケーションにあっては、販売個数が少ない時期にのみシャッタを備えた自動販売機を設置することができるものの、販売個数が多くなる時期にはシャッタの存在しない自動販売機に置き換えなければ、所望の温度状態に維持した商品の販売を行うことが困難となる。
【０００８】
本発明は、上記実情に鑑みて、省エネルギー化を図ることができ、かつ短時間に販売個数が増大する事態にも対応することのできる自動販売機を提供することを目的とする。
【課題を解決するための手段】
【０００９】
上記の目的を達成するために、本発明の請求項１に係る自動販売機は、上下方向に沿う態様で商品収納庫の内部に商品を収納し、かつ商品収納庫に対してその下方部から熱交換手段を通過した後の空気を供給することにより商品収納庫に収納した商品を所望の温度状態に維持する一方、販売指令が与えられた場合には商品収納庫の下方側に位置する商品から順次払い出しを行う自動販売機において、商品収納庫の空気を吸い出す吸出口を互いに異なる高さ位置に複数設けるとともに、これら複数の吸出口から商品収納庫の空気を吸い出す吸出口を選択する選択手段を設けたことを特徴とする。
【００１０】
また、本発明の請求項２に係る自動販売機は、上述した請求項１において、商品収納庫の商品収納領域に対してその背面側に位置する部位に背面吸出口を設けるとともに、商品収納庫の商品収納領域に対してその側面に位置し、かつ背面吸出口よりも下方となる位置に側面吸出口を設けたことを特徴とする。
【００１１】
また、本発明の請求項３に係る自動販売機は、上述した請求項２において、選択手段は、背面吸出口を開閉するフラッパを備えたものであることを特徴とする。
【００１２】
また、本発明の請求項４に係る自動販売機は、上述した請求項２において、背面吸出口から熱交換手段に至る背面ダクトを構成するとともに、側面吸出口から背面ダクトに至る部位に側面ダクトを構成したことを特徴とする。
【００１３】
また、本発明の請求項５に係る自動販売機は、上述した請求項１において、閉塞状態において商品収納庫の内部を上下に分断する一方、開放した場合に商品収納庫の内部を連通させるシャッタ部材を設け、商品収納庫においてシャッタ部材よりも上方側となる高さ位置及びシャッタ部材よりも下方側となる高さ位置にそれぞれ吸出口を設けたことを特徴とする。
【００１４】
また、本発明の請求項６に係る自動販売機は、上述した請求項５において、商品収納庫においてシャッタ部材よりも上方側となる領域の下端部に、商品の通過を規制する商品通過規制手段を設けたことを特徴とする。
【発明の効果】
【００１５】
本発明によれば、商品収納庫の空気を吸い出す吸出口を互いに異なる高さ位置に複数設けるとともに、これら複数の吸出口から商品収納庫の空気を吸い出す吸出口を選択する選択手段を設けているため、下方に設けた吸出口のみを選択することにより、省エネルギー化を図ることができる一方、上方に設けた吸出口を選択することにより、冷却状態、もしくは加熱状態に維持される商品個数を増大することができるようになり、短時間に販売個数が増大する事態にも対応することが可能となる。
【発明を実施するための最良の形態】
【００１６】
以下に添付図面を参照して、本発明に係る自動販売機の好適な実施の形態について詳細に説明する。
【００１７】
図１及び図２は、本発明の実施の形態である自動販売機を示したものである。ここで例示する自動販売機は、缶入り飲料やペットボトル入り飲料等、容器入り飲料を商品として販売するもので、本体キャビネット１０を備えている。本体キャビネット１０は、複数の鋼板を組み合わせることによって構成したもので、前面が開口した直方状を成している。
【００１８】
本体キャビネット１０の一側縁部には、外扉２０及び内扉３０を保持させてある。外扉２０は、本体キャビネット１０の前面開口を開閉するためのもので、自動販売機の正面となる部分である。図には明示していないが、この外扉２０の前面には、販売商品の見本を展示する商品展示室、販売商品を選択するための選択ボタン、貨幣を投入するための貨幣投入口、払い出された商品を取り出すための商品取出口等々、商品の販売に必要となる構成が配置してある。内扉３０は、断熱材によって構成したもので、後述する商品収納庫４０の前面開口を開閉すべく外扉２０と本体キャビネット１０との間に配設してある。
【００１９】
また、本体キャビネット１０の内部には、商品を収納するための商品収納庫４０が複数設けてある。それぞれの商品収納庫４０は、前面が開口する箱状を成すもので、上下左右奥壁がそれぞれ断熱材によって構成してある。本実施の形態では、図２に示すように、本体キャビネット１０の内部に左右方向に沿って３つの商品収納庫４０が並設してある。
【００２０】
個々の商品収納庫４０には、シュータ４１が配設してあり、このシュータ４１によって仕切られた上方部に商品室４０Ａが構成してある一方、その下方部に熱交換室４０Ｂが構成してある。
【００２１】
シュータ４１は、複数の通気孔４１ａを有したプレート状部材であり、商品収納庫４０の奥方から手前側に向けて漸次下方に傾斜する態様で商品収納庫４０の下方部に固定してある。
【００２２】
商品室４０Ａは、商品を収納するための領域であり、その内部にコラム状を成す複数の商品ラック５０が奥行方向に沿って並設してある。それぞれの商品ラック５０は、一対のラック側板５１の間に上下方向に沿って延在する商品収納通路５２を有し、この商品収納通路５２に商品を収納する一方、利用者の購入操作に応じて販売指令が与えられた場合に最下位に収納した商品をシュータ４１に払い出すもので、例えばサーペンタイン式と称される蛇行状に構成したものである。図からも明らかなように、本実施の形態では、奥行方向に商品収納通路５２を２つ備えた商品ラック５０と、奥行方向に商品収納通路５２を４つ備えた商品ラック５０とを商品室４０Ａに並設するようにした自動販売機を例示している。尚、これらの商品ラック５０は、個別に取り扱うことが可能である。
【００２３】
個々の商品ラック５０には、下端部及び中間部にそれぞれベンドメック５３，５４が設けてあるとともに、中間部に設けたベンドメック（商品通過規制手段）５４の下端部となる高さ位置にシャッタ部材５５が設けてある。
【００２４】
ベンドメック５３，５４は、ペダル５３ａ，５４ａを突出させた状態において商品収納通路５２に商品を収納する一方、ペダル５３ａ，５４ａを適宜駆動することにより、最下位に位置する商品を１つずつ下方に払い出すように動作するものである。尚、以下においては、商品収納通路５２の下端部に配設したベンドメックを下方ベンドメック５３、商品収納通路５２の中間部に配設したベンドメックを中間ベンドメック５４と称して説明する。
【００２５】
シャッタ部材５５は、断熱材によって構成したプレート状部材であり、商品ラック５０の中間部において商品収納通路５２を開閉する態様で配設してある。図には明示していないが、それぞれのシャッタ部材５５は、コイルスプリングの弾性力により常態において商品収納通路５２を上下に分断する態様で突出配置される一方、商品荷重が加えられた場合には下方に向けて揺動し、商品収納通路５２を開放することによって商品の通過を許容する。商品が通過した後においてシャッタ部材５５は、コイルスプリングの弾性復元力により、再び商品収納通路５２を上下に分断すべく突出配置された状態に復帰することになる。
【００２６】
商品収納庫４０の熱交換室４０Ｂには、送風ファン６０、冷却手段（熱交換手段）６１及び加熱手段（熱交換手段）６２が配設してある。送風ファン６０は、熱交換室４０Ｂの空気をシュータ４１に向けて送風し、シュータ４１の通気孔４１ａを通じて商品室４０Ａに供給するものである。冷却手段６１は、熱交換室４０Ｂの空気を冷却するためのものである。本実施の形態では、冷凍サイクルの蒸発器を配設することによって冷却手段６１を構成している。冷凍サイクルの圧縮機６３、凝縮器６４及び膨張弁６５は、いずれも商品収納庫４０の外部となる機械室に配設してある。加熱手段６２は、熱交換室４０Ｂの空気を加熱するためのものである。本実施の形態では、蒸発器と送風ファン６０との間に電熱ヒータを配設することによって加熱手段６２を構成している。
【００２７】
一方、それぞれの商品収納庫４０には、背面ダクト７０及び側面ダクト８０が設けてある。背面ダクト７０は、商品収納庫４０において商品収納領域の背面に沿って上下方向に延在する通路であり、例えば、商品収納庫４０の奥方に鉛直方向に沿ってダクト構成板７１を配設することにより構成してある。この背面ダクト７０には、上端に背面吸出口７２が設けてある一方、下端に吹出口７３が設けてある。背面吸出口７２は、商品収納庫４０の商品室４０Ａにおいてシャッタ部材５５を配設した位置よりもさらに上方となる位置に開口している。吹出口７３は、商品収納庫４０の熱交換室４０Ｂにおいて冷却手段（蒸発器）６１に対向する態様で前面に開口している。
【００２８】
側面ダクト８０は、商品収納庫４０において商品収納領域の側面に沿う態様で前後方向に延在し、かつその奥側端部において背面ダクト７０に連通する通路であり、商品収納庫４０の商品室４０Ａにおいてシャッタ部材５５を配設した位置よりも下方となる部位に配設してある。
【００２９】
この側面ダクト８０は、図３〜図６に示すように、各商品ラック５０に設けたダクト構成要素８１を互いに接続することによって一連に構成したものである。ダクト構成要素８１は、商品ラック５０の一方のラック側板５１にダクト構成枠８２を取り付けることにより、ラック側板５１を一側壁として構成した中空の箱状体であり、隣接するダクト構成要素８１との間に連通開口８２ａを有するとともに、商品ラック５０のラック側板５１に側面吸出口５１ａを有している。連通開口８２ａは、商品収納庫４０の商品室４０Ａに商品ラック５０を奥行方向に並設した場合に互いに対向する位置に設けてある。尚、最奥方に配置される商品ラック５０のダクト構成要素８１に形成した奥方の連通開口８２ａは、背面ダクト７０との間を連通するためのものとなる。側面吸出口５１ａは、商品ラック５０の商品収納通路５２とダクト構成要素８１との間を連通するための孔である。図８に示すように、ダクト構成要素８１の側面吸出口５１ａは、奥方に向けて漸次開口面積を減少させるべく、単位面積当たりの個数が少なくなるように設けてある。これらのダクト構成要素８１は、相互に接合される面、及び背面ダクト７０に接合される面にそれぞれシール部材８５を貼着した状態で商品室４０Ａに商品ラック５０を並設することによって一連となり、商品ラック５０の商品収納通路５２から吸い出した空気を背面ダクト７０に送給するための側面ダクト８０となる。
【００３０】
さらに、上記商品収納庫４０には、背面ダクト７０にフラッパ９０が設けてある。フラッパ９０は、背面吸出口７２を閉塞することのできる大きさを有したバルブ部９０ａと、バルブ部９０ａの基端部から突出したリンク部９０ｂとを備えたもので、図７−１及び図７−２に示すように、バルブ部９０ａが背面ダクト７０の背面吸出口７２を開閉する態様で商品収納庫４０に揺動可能に支持させてある。フラッパ９０のリンク部９０ｂには、操作ロッド９１が接続してある。操作ロッド９１は、図３に示すように、フラッパ９０のリンク部９０ｂから商品収納庫４０の側面に沿ってほぼ水平に延在し、かつ前後方向にスライド可能となる態様で配設したものである。この操作ロッド９１は、図７−１に示すように、手前側に引き出し操作した場合にバルブ部９０ａが背面ダクト７０の背面吸出口７２を開放する一方、図７−２に示すように、奥側に押し込み操作した場合にバルブ部９０ａが背面ダクト７０の背面吸出口７２を閉塞するようにフラッパ９０を動作させることが可能である。
【００３１】
上記のように構成した自動販売機では、上述した操作ロッド９１を介してフラッパ９０を適宜操作し、図８及び図９に示すように、背面ダクト７０の背面吸出口７２を閉塞した状態で熱交換室４０Ｂの送風ファン６０を駆動すると、熱交換室４０Ｂの空気がシュータ４１の通気孔４１ａを通じて商品室４０Ａに供給されることになる。商品室４０Ａに供給された空気は、側面吸出口５１ａを通じて側面ダクト８０に吸い出され、背面ダクト７０を介して熱交換室４０Ｂに返送されることになる。つまり、背面吸出口７２を閉塞した状態においては、熱交換室４０Ｂ→シュータ４１の通気孔４１ａ→商品室４０Ａ→商品ラック５０→側面吸出口５１ａ→側面ダクト８０→背面ダクト７０→熱交換室４０Ｂという循環経路において商品収納庫４０に空気が循環供給されることになる。従って、熱交換室４０Ｂにおいて冷却手段６１を駆動すれば、冷却された空気によって商品ラック５０の商品を冷却させることができ、また加熱手段６２を駆動すれば、加熱された空気によって商品ラック５０の商品を加熱することができるようになる。
【００３２】
この間、利用者の購入操作に応じて販売指令が与えられると、対応する商品ラック５０において下方ベンドメック５３が適宜動作し、最下位に収納された商品がシュータ４１に払い出される。シュータ４１に払い出された商品は、その傾斜に従って外扉２０の商品取出口に案内され、図示せぬ商品取出口を通じて利用者の手に渡ることになる。尚、商品を払い出した後においては適宜のタイミングで中間ベンドメック５４が動作し、シャッタ部材５５を通過して下方に商品が払い出されることになる。
【００３３】
ここで、各商品ラック５０においては、シャッタ部材５５によって上下が分断された状態であるため、さらにはシャッタ部材５５よりも上方に位置する背面吸出口７２が閉塞された状態であるため、上述した循環空気がシャッタ部材５５よりも上方へ漏れる虞れはなく、シャッタ部材５５よりも下方にのみ供給されることになる。従って、商品ラック５０においてシャッタ部材５５よりも下方に収納した商品のみを集中的に冷却、あるいは加熱することができるようになり、消費電力を低減できる等、省エネルギーの点で有利となる。
【００３４】
一方、上述した状態から操作ロッド９１を介してフラッパ９０を揺動させ、背面ダクト７０の背面吸出口７２を開放すると、図１０及び図１１に示すように、商品収納庫４０においては商品ラック５０に供給された空気が側面吸出口５１ａ、側面ダクト８０及び背面ダクト７０を通じて熱交換室４０Ｂに至る経路に加えて、背面吸出口７２から背面ダクト７０を通じて熱交換室４０Ｂに至る経路を通過することになる。この場合においても、熱交換室４０Ｂにおいて冷却手段６１を駆動すれば、冷却された空気によって商品ラック５０の商品を冷却させることができ、また加熱手段６２を駆動すれば、加熱された空気によって商品ラック５０の商品を加熱することができるようになる。
【００３５】
ここで、各商品ラック５０においては、シャッタ部材５５によって上下が分断された状態であるものの、シャッタ部材５５よりも上方に位置する背面吸出口７２が開放された状態であるため、熱交換室４０Ｂからの空気が隙間を通じてシャッタ部材５５よりも上方を通過し、背面吸出口７２から吸い出されることになる。従って、商品ラック５０においてシャッタ部材５５よりも上方に位置する商品をも冷却、あるいは加熱することができるようになり、短時間のうちに商品が連続的して多数販売された場合にも、充分に冷却、もしくは加熱された状態の商品を販売することが可能となる。
【００３６】
以上説明したように、上記自動販売機によれば、商品収納庫４０の背面に背面吸出口７２を設けるとともに、商品収納庫４０の側面において背面吸出口７２よりも下方となる位置に側面吸出口５１ａを設け、フラッパ９０を揺動することによって背面吸出口７２を開閉するようにしているため、フラッパ９０によって背面吸出口７２を閉塞し、側面吸出口５１ａのみを通じて空気を吸い出すことにより、商品ラック５０の下方部に収納した商品のみを集中的に冷却、もしくは加熱できるようになり、省エネルギー化を図ることができるようになる。
【００３７】
一方、背面吸出口７２を開放してこの背面吸出口７２から空気を吸い出すように変更することにより、商品ラック５０の上方部に収納した商品をも冷却、もしくは加熱できるようになり、短時間に販売個数が増大する事態にも対応することが可能となる。
【００３８】
さらに、上記自動販売機によれば、商品収納庫４０の内部に奥行方向に沿って複数配設する商品ラック５０のそれぞれにダクト構成要素８１を設け、これらの商品ラック５０を商品収納庫４０に配設した場合にダクト構成要素８１を互いに接続することによって側面ダクト８０を構成するようにしているため、取り扱い性を良好にし、かつ部品点数の増大を抑えつつ、省エネルギー化を図ることが可能となる。
【００３９】
尚、通常の自動販売機にあっては、図５に示すように、ラック側板５１の縁部に補強のためのカール部５１ｂを設けてある場合がある。従って、このラック側板５１に対して単にダクト構成要素８１を構成した場合には、このカール部５１ｂによって圧力損失が大きくなり、背面ダクト７０から離れた位置に形成した側面吸出口５１ａからの空気の吸込量が減少する虞れがある。
【００４０】
このような場合には、図１２及び図１３に示す変形例のように、ラック側板５１の縁部を商品収納通路５２側に向けて屈曲させることにより、ラック側板に所定の強度を確保しつつ側面ダクト８０の内部に位置する部位を平坦状に構成することが可能となる。この場合、商品収納通路５２側に屈曲させた部分５６の相互間にシール部材８５を介在させると良い。中間ベンドメック５４のためのケーブル５４ｂに関してもダクト構成要素８１の外部に敷設することが好ましい。
【００４１】
さらに、ダクト構成枠８２に関しても、空気の通過経路にあっては内方に向けて屈曲する部分を削除することが好ましい。この場合、隣接するダクト構成要素８１には、ダクト構成枠８２の外表面から帯状のシール部材８５ａを貼着し、両者間の空気漏れを防止すれば良い。
【００４２】
上記のように側面ダクト８０を構成すれば、圧力損失を低減することができるようになり、背面ダクト７０から離れた位置に形成した側面吸出口５１ａからの空気の吸込量が減少するといった問題を解消することが可能となる。
【００４３】
尚、上述した実施の形態では、缶入り飲料やペットボトル入り飲料等、容器入り飲料を商品として販売する自動販売機を例示しているが、上下方向に沿う態様で商品収納庫の内部に商品を収納し、かつ商品収納庫に対してその下方部から熱交換手段を通過した後の空気を供給することにより商品収納庫に収納した商品を所望の温度状態に維持する一方、販売指令が与えられた場合には商品収納庫の下方側に位置する商品から順次払い出しを行う自動販売機であれば、その他の商品を販売するものにももちろん適用することが可能である。また、本体キャビネットの内部に左右方向に沿って３つの商品収納庫を並設した自動販売機を例示しているが、商品収納庫の数はこれに限定されない。さらに、奥行方向に商品収納通路を２つ備えた商品ラックと、奥行方向に商品収納通路を４つ備えた商品ラックとを商品室に並設するようにした自動販売機を例示しているが、商品室に並設する商品ラックの数や構成に関してもこれらに限定されない。
【００４４】
また、上述した実施の形態では、商品ラックの中間部にシャッタ部材を備えるようにしているため、商品ラックの下方部に収納した商品のみを冷却、もしくは加熱する場合のエネルギー効率をより向上させることができるが、必ずしもシャッタ部材を備える必要はない。さらに、商品ラックの中間部にもベンドメックを設けるようにしているため、商品ラックの下方部に収納する商品の個数を制御することが可能になるが、中間ベンドメックに関しても必ずしも設ける必要はない。
【００４５】
また、上述した実施の形態では、側面吸出口から吸い出した空気を背面ダクトに送給するように側面ダクトを構成しているが、吸い出した空気を直接熱交換室に返送するように側面ダクトを構成しても構わない。
【００４６】
さらに、上述した実施の形態では、背面ダクトの背面吸出口にこれを開閉するフラッパを設けることにより選択手段を構成しているが、フラッパの配設位置はこれに限らず、例えば、背面吸出口から側面ダクトとの接続部までの間にであれば、その内部にフラッパを配設するようにしても同様の作用効果を奏することが可能である。また、操作ロッドを手動操作することによってフラッパを開閉するようにしているが、プランジャ等のアクチュエータによってフラッパを開閉するように構成しても良い。
【図面の簡単な説明】
【００４７】
【図１】本発明の実施の形態である自動販売機の内部構成を概念的に示す断面側面図である。
【図２】図１に示した自動販売機の外観を示す斜視図である。
【図３】図１に示した自動販売機の断面側面図である。
【図４】図１に示した自動販売機に適用する商品ラックの斜視図である。
【図５】図１に示した自動販売機の要部拡大横断面図である。
【図６】図５における VI−VI 線断面図である。
【図７−１】図１に示した自動販売機に適用する背面ダクトの吸出口部分を示す要部拡大断面図である。
【図７−２】図１に示した自動販売機に適用する背面ダクトの吸出口部分を示す要部拡大断面図である。
【図８】図１に示した自動販売機の商品収納庫において空気の循環経路を示す概念図である。
【図９】図１に示した自動販売機の商品収納庫において空気の循環経路を示す概念図である。
【図１０】図１に示した自動販売機の商品収納庫において空気の循環経路を示す概念図である。
【図１１】図１に示した自動販売機の商品収納庫において空気の循環経路を示す概念図である。
【図１２】図１に示した自動販売機に適用する商品ラックの変形構成例を示す斜視図である。
【図１３】図１２に示した自動販売機の要部拡大横断面図である。
【符号の説明】
【００４８】
１０      本体キャビネット
２０      外扉
３０      内扉
４０      商品収納庫
４０Ａ      商品室
４０Ｂ      熱交換室
４１      シュータ
４１ａ      通気孔
５０      商品ラック
５１      ラック側板
５１ａ      側面吸出口
５１ｂ      カール部
５２      商品収納通路
５３      下方ベンドメック
５４      中間ベンドメック
５５      シャッタ部材
６０      送風ファン
６１      冷却手段
６２      加熱手段
６３      圧縮機
６４      凝縮器
６５      膨張弁
７０      背面ダクト
７１      ダクト構成板
７２      背面吸出口
７３      吹出口
８０      側面ダクト
８１      ダクト構成要素
８２      ダクト構成枠
８２ａ      連通開口
８５      シール部材
８５ａ      シール部材
９０      フラッパ
９０ａ      バルブ部
９０ｂ      リンク部
９１      操作ロッド
【図１】
2007058312.tif 000003
【図２】
2007058312.tif 000004
【図３】
2007058312.tif 000005
【図４】
2007058312.tif 000006
【図５】
2007058312.tif 000007
【図６】
2007058312.tif 000008
【図７−１】
2007058312.tif 000009
【図７−２】
2007058312.tif 000010
【図８】
2007058312.tif 000011
【図９】
2007058312.tif 000012
【図１０】
2007058312.tif 000013
【図１１】
2007058312.tif 000014
【図１２】
2007058312.tif 000015
【図１３】
2007058312.tif 000016